(57)【要約】【課題】ファション性を重視した装飾模様が配設されたメガネレンズを製造するに当たり、空隙のある布をレンズに配設し、布を通して景色を見る事ができ、日差しの強い日に有害な赤外線や紫外線の目に入る量を減少させるようにする。【解決手段】メガネ又はサングラスに装着されるメガネレンズの表面又は内部に、空隙を有する布を配設する。前記空隙を有する布は装飾模様を有している。前記空隙を有する布は表面レンズと基盤レンズの間に挟まれて形成してある。【選択図】図１
2014098884.tif 000002
【特許請求の範囲】
【請求項１】
メガネ又はサングラスに装着されるメガネレンズであって、前記メガネレンズの表面又は内部に、空隙を有する布を配設したことを特徴とするメガネレンズ。
【請求項２】
前記空隙を有する布は装飾模様を有していることを特徴とする請求項１記載のメガネレンズ。
【請求項３】
前記空隙を有する布は表面レンズと基盤レンズの間に挟まれて形成してある請求項１乃至請求項２のいずれか１項に記載のメガネレンズ。
【請求項４】
前記空隙を有する布を構成する糸の外径は０．１ｍｍ以上で０．７ｍｍ以下であると共に、開口率が２２．６％以上で７３．７％以下である事を特徴とする請求項１乃至請求項３のいずれか１項に記載のメガネレンズ。
【発明の詳細な説明】
【技術分野】
【０００１】
本発明は、メガネのレンズに関するものである。
【背景技術】
【０００２】
メガネのレンズには、目に入る有害な紫外線や赤外線を減少させて、目を守る効果があり、サングラスは更に光量を減少させて眩しさを防いでいる。また、ファッション性も重要視されており、メガネレンズの大きさや色も様々であり、ミラーレンズのように外部から見た時に鏡のように映るファッションを重視したレンズもある。また、レンズ表面に絵柄などの装飾模様をプリントしたものやありパターンを印刷したレンズもある。
【０００３】
しかし、ファション性を重視して、透光性のあるレンズの表面に絵柄などの装飾模様を印刷したり、積層レンズの内部に絵柄を配設したりすると、目と景色の間に大きな印刷部が重なり景色が見えにくくなるという欠点があった。
【先行技術文献】
【特許文献】
【０００４】
【特許文献１】実開昭４７−２７８７８号公報
【特許文献２】特開昭５３−１５１５１号公報
【特許文献３】登録実用新案第３００３８７０号公報
【特許文献４】登録実用新案第３１４４３７４号公報
【特許文献５】特開２０００−４７１４７号公報
【発明の概要】
【発明が解決しようとする課題】
【０００５】
解決しようとする課題は、ファション性を重視した装飾模様が施されたメガネレンズを製造するに当たり、空隙を有する布をレンズに配設し、布を通して景色を見る事ができ、日差しの強い日に有害な赤外線や紫外線の目に入る量を減少させ、眩しさを減少させ、ピンホール効果により、景色を鮮明に見えるようにする事である。
【課題を解決するための手段】
【０００６】
本発明は、メガネレンズの表面や内部に空隙を有する布を配設する事により、ファション性を重視しながら、目に入る有害な赤外線や紫外線を減少させると共に、眩しさを減少させ、鮮明に景色を見る事のできるメガネレンズを提供する事である。
【発明の効果】
【０００７】
本発明のメガネレンズでは、布の小さな隙間から景色を見るため、人差し指を丸めて小さな隙間から景色を見るとコントラストがはっきりするピンホール効果と同じ効果が得られと共に、布により目に入る光量が減り、眩しさを減少させる事ができる。また、日差しの強い日に有害な赤外線や紫外線の目に入る量を減少させる効果がある。
【図面の簡単な説明】
【０００８】
【図１】図１はメガネレンズに布を配設した斜視図である。
【図２】図２はメガネレンズに絵柄のある布を配設した斜視図である。
【図３】図３は表面レンズと布と基盤レンズを積層する状態を示す斜視図である。
【図４】図４は布の拡大図と開口率の計算式と経糸と緯糸の関係を示す図である。
【発明を実施するための形態】
【０００９】
メガネレンズの表面や内部に空隙を有する布を配設する事により、ファション性を重視しながら、目に入る有害な赤外線や紫外線を減少させると共に、眩しさを減少させ、鮮明に景色を見る事のできるメガネレンズを実現した。
【実施例１】
【００１０】
図１は本発明の図であり、空隙を有する布をメガネレンズの外側表面に配設し、メガネ枠に装着した状態を示す斜視図であって、１は空隙を有する布である。空隙を有する布１はメガネレンズの内側表面に配設されていても良いし、外側表面と内側表面の中間に配設されていても良い。メガネレンズの色は無色透明と有色透明がありどちらでも良い。空隙を有する布１の色彩は単色で様々な色が可能である。人種により肌の色、頭髪の色が異なので、適宜選択する事が可能である。
【００１１】
請求項１記載の発明はメガネ又はサングラスに装着されるメガネレンズであって、前記メガネレンズの表面又は内部に、空隙を有する布を配設したことを特徴とするメガネレンズである。
布の小さな隙間から景色を見るため、近視の人が人差し指を丸めて小さな隙間から景色を見るとコントラストがはっきりするピンホール効果と同じ効果が得られと共に、布により目に入る光量が減り、眩しさを減少させる事ができる。また、日差しの強い日に有害な赤外線や紫外線の目に入る量を減少させる効果もある。
【００１２】
図２は、本発明図であり、配設された空隙を有する布１が文様や図柄や絵柄など、装飾模様を有しているメガネレンズである。
【００１３】
請求項２記載の発明は、前記空隙を有する布は装飾模様を有している請求項１記載のメガネレンズであり、ファション性があることを特徴とする。人の性格、嗜好、人種により好む文様や図柄、絵柄は異なるので、適宜選択する事ができる。
【００１４】
図３は、本発明図であり、前記空隙を有する布が表面レンズと布と基盤レンズの間に挟まれて配設されている。
【００１５】
請求項３記載の発明は前記空隙を有する布は表面レンズと基盤レンズの間に挟まれて形成してある請求項１乃至請求項２のいづれか１項記載のメガネレンズである。
空隙を有する布は外側又は内側に露出しておらず、雨に濡れたり、メガネレンズに触ったり、他の物と接触したりしても剥がれ落ちる心配がない。
【００１６】
図４は布の拡大図と開口率の計算式と経糸と緯糸との位置関係を示す図である。開口率（％）は（ａ×ｃ）／（ｂ×ｄ）×１００の計算式で表わされる。
【００１７】
請求項４記載の発明は前記空隙を有する布を構成する糸の外径は０．１ｍｍ以上で０．７ｍｍ以下であると共に、開口率が２２．６％以上で７３．７％以下である事を特徴とする請求項１乃至請求項３のいずれか１項に記載のメガネレンズである。
糸の外径は０．１ｍｍ以下又は０．７ｍｍ以上であると景色が見にくく、また、開口率が２２．６％以下又は７３．７％以上であると効果が少なかったり、反って暗すぎて悪影響がある。
【００１８】
空隙を有する布の開口率が２２．６％から７３．７％の５例の実施例と比較例１から比較例４の４例を表１に示す。評価×は空隙を有する布の効果が認められなかったり、反って悪影響を及ぼす結果を示しており、評価△は光量の減少が少なすぎたり、減少が大きすぎて景色が暗くなり見えにくくなって効果が少ない評価をしめす。○は眩しさを減少させて、景色がはっきりと鮮明に見る事ができる効果の表れた評価を示している。◎は眩しさの減少と、景色の鮮明性に特に優れた効果が認められた。比較例１乃至比較例４は評価×又は△であった。
この試験結果から空隙を有する布の開口率は２２．６％から７３．７％が良い事が判る。布を構成する糸の外径は０．１ｍｍから０．７ｍｍである。
【００１９】
【表１】
2014098884.tif 000003
【００２０】
【表２】
2014098884.tif 000004
【００２１】
表２の実施例７から実施例１２の６例は布を構成する糸の外径が０．１ｍｍから０．７ｍｍである６つの実施例と、比較例５から比較例８の４例を表している。評価×は空隙を有する布の効果が認めらなかったり、反って悪影響を及ぼす結果を示しており、評価△は糸が細過ぎると霧がかかった様な状態となり景色が見えにくくなったり、糸が太すぎると視界が遮られ景色の見えない部分が発生したりして効果が少ない事を示している。○は眩しさを減少させて、景色がはっきりと鮮明に見る事ができる効果の表れた評価を示している。◎は眩しさの減少と、景色の鮮明性に特に優れた効果があった。比較例５乃至比較例８は評価×又は△であった。
この試験結果から空隙を有する布の糸の外径は０．１ｍｍから０．７ｍｍが良く、これ以上細すぎたり太すぎると反って悪影響を及ぼし好ましくない事が判る。
【産業上の利用可能性】
【００２２】
布の小さな隙間から景色を見るため、人差し指を丸めて小さな隙間から景色を見るとコントラストがはっきりするピンホール効果と同じ効果が得られと共に、布により目に入る光量が減り、眩しさを減少させる事ができ、日差しの強い日に有害な赤外線や紫外線の目に入る量を減少させる効果のあるメガネレンズを提供する。
【符号の説明】
【００２３】
１    布
２    絵柄付き布
３    基盤レンズ
４    表面レンズ
５    積層レンズ
【図１】
2014098884.tif 000005
【図２】
2014098884.tif 000006
【図３】
2014098884.tif 000007
【図４】
2014098884.tif 000008